(57)【要約】【課題】映像とともに放送される文書に示される動作を起動させる操作内容を多様化させること。【解決手段】第１入力装置４に入力される複数の操作内容に複数の動作を対応づけるＢＭＬ文書を映像とともに受信するチューナー制御部１１と、第１入力装置４に第１操作内容が入力されたときに、ＢＭＬ文書を参照して動作のうちの第１操作内容に対応する第１動作を実行する実行部１２と、映像が表示される表示面３１のうちの入力装置５により選択される点３４を操作内容のうちの第２操作内容に対応づける判定部１３とを具備している。実行部１２は、ＢＭＬ文書を参照して動作のうちの第２操作内容に対応する第２動作を実行する。このとき、映像とともに放送されるＢＭＬ文書に示される動作を起動させる操作を多様化させるとができる。【選択図】図１
2004228880.tif 000002
【特許請求の範囲】
【請求項１】
データ放送される情報を受信して表示するデータ放送受信装置であり、
複数の操作内容に複数の動作を対応づける文書を映像とともに受信するチューナー制御部と、
前記映像のうちから入力装置により選択される選択点を前記複数の操作内容のうちの選択操作内容に対応づける判定部と、
前記文書を参照して前記動作のうちの前記対応操作内容に対応する対応動作を実行する実行部とを具備し、
前記選択点は、前記映像のうちの複数選択肢が表示される選択肢領域に属さない点を含み、
前記複数選択肢は、
前記操作内容に基づいて選択される選択肢と、
前記選択肢と識別可能に表示される他の選択肢とから形成される
データ放送受信装置。
【請求項２】
請求項１において、
前記操作内容は、前記入力装置と異なる他の入力装置に操作される対応操作内容を示し、
前記判定部は、
前記映像から前記選択点を含む判定領域を抽出する領域抽出部と、
前記判定領域に基づいて前記選択点を前記対応操作内容に対応づける認識部とを備える
ことを特徴とするデータ放送受信装置。
【請求項３】
請求項２において、
前記映像は、複数の分割領域に分割され、
前記判定領域は、前記分割領域のうちの前記選択点を含む領域である
ことを特徴とするデータ放送受信装置。
【請求項４】
請求項２において、
前記判定領域は、所定の色により示される輪郭で囲まれた領域である
ことを特徴とするデータ放送受信装置。
【請求項５】
請求項２において、
前記認識部は、前記判定領域に表示される色に基づいて、前記選択点を前記対応操作内容に対応づける
ことを特徴とするデータ放送受信装置。
【請求項６】
請求項５において、
前記操作内容は、複数の操作色に対応し、
前記判定部は、前記映像に表示される表示色を解析する画像解析部を更に備え、
前記認識部は、前記操作色のうちの前記表示色に一致する色の個数が複数であるときのみに、前記選択点を前記選択操作内容に対応づける
ことを特徴とするデータ放送受信装置。
【請求項７】
請求項２において、
前記認識部は、前記判定領域に表示される文字に基づいて、前記選択点を前記選択操作内容に対応づける
ことを特徴とするデータ放送受信装置。
【請求項８】
請求項２〜請求項７のいずれかにおいて、
前記入力装置により前記選択点が選択されたときに、前記映像が表示される表示面に前記対応操作内容を示す情報を表示して、前記動作を実行するか実行しないかを選択する確認部を更に具備し、
前記実行部は、前記確認部により前記動作を実行することが選択されたときのみに、前記動作を実行する
ことを特徴とするデータ放送受信装置。
【請求項９】
請求項８において、
前記判定部は、前記文書を解析する文書解析部を更に備え、
前記確認部は、前記操作内容が前記対応操作内容を含むときのみに、前記表示面に前記対応操作内容を示す情報を表示する
ことを特徴とするデータ放送受信装置。
【請求項１０】
データ放送される情報を受信して表示するデータ放送受信方法であり、
複数の操作内容に複数の動作を対応づける文書を映像とともに受信するステップと、
前記映像のうちから入力装置により選択される選択点を前記複数の操作内容のうちの選択操作内容に対応づけるステップと、
前記文書を参照して前記動作のうちの前記対応操作内容に対応する対応動作を実行するステップとを具備し、
前記選択点は、前記映像のうちの複数選択肢が表示される選択肢領域に属さない点を含み、
前記複数選択肢は、
前記操作内容に基づいて選択される選択肢と、
前記選択肢と識別可能に表示される他の選択肢とから形成される
データ放送受信方法。
【請求項１１】
請求項１０において、
前記操作内容は、前記入力装置と異なる他の入力装置に操作される対応操作内容を示し、
前記対応づけるステップは、
前記映像から前記選択点を含む判定領域を抽出するステップと、
前記判定領域に基づいて前記選択点を前記対応操作内容に対応づけるステップとを備える
ことを特徴とするデータ放送受信方法。
【請求項１２】
請求項１１において、
前記映像は、複数の分割領域に分割され、
前記判定領域は、前記分割領域のうちの前記選択点を含む領域である
ことを特徴とするデータ放送受信方法。
【請求項１３】
請求項１１において、
前記判定領域は、所定の色により示される輪郭で囲まれた領域である
ことを特徴とするデータ放送受信方法。
【請求項１４】
請求項１１において、
前記選択点は、前記判定領域に表示される色に基づいて、前記対応操作内容に対応づけられる
ことを特徴とするデータ放送受信方法。
【請求項１５】
請求項１４において、
前記操作内容は、複数の操作色に対応し、
前記映像に表示される表示色を解析するステップを更に備え、
前記選択点は、前記操作色のうちの前記表示色に一致する色の個数が複数であるときのみに、前記選択操作内容に対応づけられる
ことを特徴とするデータ放送受信方法。
【請求項１６】
請求項１１において、
前記選択点は、前記判定領域に表示される文字に基づいて、前記選択操作内容に対応づけられる
ことを特徴とするデータ放送受信方法。
【請求項１７】
請求項１１〜請求項１６のいずれかにおいて、
前記入力装置により前記選択点が選択されたときに、前記映像が表示される表示面に前記対応操作内容を示す情報を表示して、前記動作を実行するか実行しないかを選択するステップを更に具備し、
前記動作は、前記動作を実行することが選択されたときのみに、実行される
ことを特徴とするデータ放送受信方法。
【請求項１８】
請求項１７において、
前記文書を解析するステップを更に具備し、
前記対応操作内容を示す情報は、前記操作内容が前記対応操作内容を含むときのみに、前記表示面に表示される
ことを特徴とするデータ放送受信方法。
【発明の詳細な説明】
【０００１】
【発明の属する技術分野】
本発明は、データ放送受信装置及びデータ放送受信方法に関し、特に、文書を映像とともに放送するデータ放送を受信するときに利用されるデータ放送受信装置及びデータ放送受信方法に関する。
【０００２】
【従来の技術】
ＢＭＬ文書を映像とともに放送するデータ放送を受信するデータ放送受信装置が知られている。そのＢＭＬ文書は、画面上での表示レイアウトを規定するほかに、視聴者による操作を受け付けるために、データ放送受信装置のリモコンの複数のボタンに複数の動作を対応づけることができる。このとき、データ放送受信装置は、押されたボタンに対応する動作を実行する。このようなデータ放送受信装置は、その操作の多様化が望まれている。
【０００３】
特開２００２−２３２３７１号公報に開示されている公知のデータ放送受信システムは、ブラウザ画面における複数の選択肢の表示領域上にカーソルが存在するか否かを判定し、そのカーソルが表示領域上に存在する選択肢を選択状態にしている。このようなデータ放送受信システムは、ユーザが所望の選択肢を選択する際の操作性を高める効果がある。
【０００４】
【特許文献１】
特開２００２−２３２３７１号公報
【０００５】
【発明が解決しようとする課題】
本発明の課題は、映像とともに放送される文書に示される動作を起動させる操作を多様化させるデータ放送受信装置及びデータ放送受信方法を提供することにある。
本発明の他の課題は、映像とともに放送される文書に示される動作を速く起動させるデータ放送受信装置及びデータ放送受信方法を提供することにある。
【０００６】
【課題を解決するための手段】
以下に、［発明の実施の形態］で使用される番号・符号を括弧付きで用いて、課題を解決するための手段を説明する。これらの番号・符号は、［特許請求の範囲］の記載と［発明の実施の形態］の記載との対応を明らかにするために付加されたものであり、［特許請求の範囲］に記載されている発明の技術的範囲の解釈に用いてはならない。
【０００７】
本発明によるデータ放送受信装置（２）は、データ放送される情報を受信して表示するデータ放送受信装置であり、複数の操作内容に複数の動作を対応づける文書を映像（３１）（５１）（６１）とともに受信するチューナー制御部（１１）と、映像（３１）（５１）（６１）のうちから入力装置（５）により選択される選択点（３４）を複数の操作内容のうちの選択操作内容に対応づける判定部（１３）と、文書を参照して動作のうちの対応操作内容に対応する対応動作を実行する実行部（１２）とを備えている。選択点（３４）は、映像（３１）（５１）（６１）のうちの複数選択肢が表示される選択肢領域に属さない点を含んでいる。複数選択肢は、操作内容に基づいて選択される選択肢と、選択肢と識別可能に表示される他の選択肢とから形成される。
【０００８】
このとき、映像（３１）（５１）（６１）とともにデータ放送される文書に示される動作を起動させる操作を多様化させることができる。
【０００９】
操作内容は、入力装置（５）と異なる他の入力装置（４）に操作される対応操作内容を示している。判定部（１３）は、映像（３１）（５１）（６１）から選択点（３４）を含む判定領域を抽出する領域抽出部（２３）と、判定領域に基づいて選択点（３４）を対応操作内容に対応づける認識部（２４、２５）とを備えていることが好ましい。
【００１０】
映像（３１）（５１）（６１）は、複数の分割領域（３２−１〜３２−ｎ）に分割されている。このとき、判定領域は、分割領域（３２−１〜３２−ｎ）のうちの選択点（３４）を含む領域であることが好ましい。
【００１１】
判定領域は、所定の色により示される輪郭（５４−１〜５４−４）（６４−１〜６４−４）で囲まれた領域であることが好ましい。
【００１２】
認識部（２４）は、判定領域に表示される色に基づいて、選択点（３４）を対応操作内容に対応づけることが好ましい。
【００１３】
操作内容は、複数の操作色に対応している。判定部（１３）は、映像（３１）（５１）（６１）に表示される表示色を解析する画像解析部（２１）を更に備えている。このとき、認識部（２４）は、操作色のうちの表示色に一致する色の個数が複数であるときのみに、選択点（３４）を選択操作内容に対応づけることが好ましい。
【００１４】
認識部（２５）は、判定領域に表示される文字に基づいて、選択点（３４）を選択操作内容に対応づけることが好ましい。
【００１５】
入力装置（５）により選択点（３４）が選択されたときに、映像（３１）（５１）（６１）が表示される表示面に対応操作内容を示す情報を表示して、動作を実行するか実行しないかを選択する確認部（１４）を更に備えている。実行部（１２）は、確認部（１４）により動作を実行することが選択されたときのみに、動作を実行することが好ましい。
【００１６】
判定部（１３）は、文書を解析する文書解析部（２２）を更に備えている。確認部（１４）は、操作内容が対応操作内容を含むときのみに、表示面に対応操作内容を示す情報を表示することが好ましい。すなわち、確認部（１４）は、文書に選択点（３４）に対応する操作内容が記述されていないときに、表示面に対応操作内容を示す情報を表示しない。
【００１７】
本発明によるデータ放送受信方法は、データ放送される情報を受信して表示するデータ放送受信方法であり、複数の操作内容に複数の動作を対応づける文書を映像（３１）（５１）（６１）とともに受信するステップと、映像（３１）（５１）（６１）のうちから入力装置（５）により選択される選択点（３４）を複数の操作内容のうちの選択操作内容に対応づけるステップ（Ｓ１）と、文書を参照して動作のうちの対応操作内容に対応する対応動作を実行するステップ（Ｓ４）とを備えている。選択点（３４）は、映像（３１）（５１）（６１）のうちの複数選択肢が表示される選択肢領域に属さない点を含んでいる。複数選択肢は、操作内容に基づいて選択される選択肢と、選択肢と識別可能に表示される他の選択肢とから形成される。
【００１８】
このとき、映像（３１）（５１）（６１）とともにデータ放送される文書に示される動作を起動させる操作を多様化させることができる。
【００１９】
操作内容は、入力装置（５）と異なる他の入力装置（４）に操作される対応操作内容を示している。その対応づけるステップ（Ｓ１）は、映像（３１）（５１）（６１）から選択点（３４）を含む判定領域を抽出するステップ（Ｓ１２）（Ｓ２２）と、判定領域に基づいて選択点（３４）を対応操作内容に対応づけるステップ（２４、２５）とを備えていることが好ましい。
【００２０】
映像（３１）（５１）（６１）は、複数の分割領域（３２−１〜３２−ｎ）に分割されている。このとき、判定領域は、分割領域（３２−１〜３２−ｎ）のうちの選択点（３４）を含む領域であることが好ましい。
【００２１】
判定領域は、所定の色により示される輪郭（５４−１〜５４−４）（６４−１〜６４−４）で囲まれた領域であることが好ましい。
【００２２】
選択点（３４）は、判定領域に表示される色に基づいて、対応操作内容に対応づけられることが好ましい。
【００２３】
操作内容は、複数の操作色に対応している。本発明によるデータ放送受信方法は、映像（３１）（５１）（６１）に表示される表示色を解析するステップ（Ｓ１１）を更に備えている。このとき、選択点（３４）は、操作色のうちの表示色に一致する色の個数が複数であるときのみに、選択操作内容に対応づけられることが好ましい。
【００２４】
選択点（３４）は、判定領域に表示される文字に基づいて、選択操作内容に対応づけられることが好ましい。
【００２５】
本発明によるデータ放送受信方法は、入力装置（５）により選択点（３４）が選択されたときに、映像（３１）（５１）（６１）が表示される表示面に対応操作内容を示す情報を表示して、動作を実行するか実行しないかを選択するステップ（Ｓ３）を更に備えている。その動作は、実行することが選択されたときのみに、実行されることが好ましい。
【００２６】
本発明によるデータ放送受信方法は、文書を解析するステップ（Ｓ２１）を更に備えている。対応操作内容を示す情報は、操作内容が対応操作内容を含むときのみに、表示面に表示することが好ましい。すなわち、対応操作内容を示す情報は、文書に選択点（３４）に対応する操作内容が記述されていないときに、表示面に表示されない。
【００２７】
【発明の実施の形態】
図面を参照して、本発明によるデータ放送受信装置の実施の形態を説明する。そのデータ放送受信装置１は、図１に示されているように、データ放送受信装置本体２、表示装置３、リモコン４およびマウス５を備えている。データ放送受信装置本体２は、パーソナルコンピュータに例示される情報処理装置である。表示装置３は、表示面を備え、データ放送受信装置本体２により作成された画像をその表示面に表示する。リモコン４は、カラーボタン６と数字ボタン７とを備えている。カラーボタン６は、それぞれ青、赤、緑、黄に対応している４個のボタンから形成されている。数字ボタン７は、それぞれ０、１〜９の数字に対応している１０個のボタンから形成されている。リモコン４は、カラーボタン６と数字ボタン７とのうちのユーザにより押下されたボタンを示すコードをデータ放送受信装置本体２に出力する。マウス５は、ユーザの操作により表示装置３の表示面に含まれる１つの点を選択する。
【００２８】
データ放送受信装置本体２は、さらに、チューナーボード９を備えている。チューナーボード９は、データ放送受信装置本体２により制御されて、電波を介して放送局から放送される情報を受信する。このとき、データ放送受信装置本体２は、その情報を表示装置３の表示面に表示する。データ放送受信装置本体２は、さらに、電話回線網８に接続され、電話回線網８を介してその放送局に情報を伝送することができる。
【００２９】
図２は、データ放送受信装置本体２を詳細に示している。データ放送受信装置本体２は、コンピュータプログラムであるチューナー制御部１１、実行部１２、判定部１３および確認部１４を備えている。チューナー制御部１１は、チューナーボード９を制御して、放送される情報をＢＭＬ文書と映像とに分離して、その映像を表示装置３に表示する。そのＢＭＬ文書は、画面上での表示レイアウトを規定し、リモコン４のカラーボタン６と数字ボタン７とを示すコードをデータ放送受信装置本体２により実行される動作に対応づけている。
【００３０】
その動作としては、放送されるクイズ番組の回答をその放送局に電話回線網８を介して送信する動作が例示される。その動作は、さらに、表示装置３の表示面に表示される複数の選択肢から１つの選択肢を選択する動作を含んでいる。リモコン４がさらに図示されていない上下左右ボタンと決定ボタンとを備えているときに、その上下左右ボタンが押下されることにより複数の選択肢のうちの１つの選択肢が他の選択肢と識別可能に表示面に表示され、その決定ボタンが押下されることにより他の選択肢と識別可能に表示面に表示されている選択肢が選択される。
【００３１】
判定部１３は、マウス５により選択される表示装置３の表示面の点を解析して、その点をカラーボタン６と数字ボタン７とのうちの１つまたは複数のボタンのコードに対応づける。確認部１４は、表示装置３の表示面に、マウス５により選択された点に対応づけられたボタンを示す確認ボックスを表示する。このとき、ユーザは、その確認ボックスを用いてデータ放送受信装置本体２にその動作の実行を承認するかどうかを選択する。
【００３２】
実行部１２は、リモコン４からカラーボタン６と数字ボタン７とのうちのユーザに押されたボタンのコードを収集して、ＢＭＬ文書に示される動作のうちのそのコードに対応する動作を実行する。実行部１２は、さらに、ＢＭＬ文書に示される動作のうち、判定部１３により対応づけられたコードに対応する動作を実行する。
【００３３】
図３は、判定部１３を詳細に示している。判定部１３は、コンピュータプログラムである画像解析部２１、ＢＭＬ文書解析部２２、領域抽出部２３、色認識部２４および文字認識部２５を備えている。
【００３４】
画像解析部２１は、表示装置３の表示面に青、赤、緑、黄の４色のうちの２色以上の色が表示されているかどうかを解析する。ＢＭＬ文書解析部２２は、ＢＭＬ文書を解析して、ＢＭＬ文書にリモコン４のカラーボタン６と数字ボタン７とが押下されたときに実行する動作が記述されているかどうかを解析する。領域抽出部２３は、マウス５により選択された点に基づいて表示装置３の表示面のうちから判定領域を抽出する。色認識部２４は、領域抽出部２３により抽出された判定領域の色を認識して、その点をカラーボタン６のうちの１つのボタンを示すコードに対応づける。
【００３５】
文字認識部２５は、領域抽出部２３により抽出された判定領域に表示されている文字を認識して、その点を数字ボタン７のうちの１つのボタンを示すコードに対応づける。そのような文字としては、表示面に表示されるテロップが例示され、ＢＭＬ文書に記載されているかされていないかに頓着していない。
【００３６】
図４は、表示装置３の表示面を示している。その表示面３１は、複数の領域３２−１〜３２−ｎ（ｎ＝２，３，４，…）に分割されている。領域３２−１〜３２−ｎは、それぞれ、１つの輪郭を有し、表示面の１つの画素または複数の画素から形成されている。表示面３１には、ポインタ３３が表示されている。ポインタ３３は、表示面３１に含まれる１つの点３４を指示している。ポインタ３３は、マウス５に入力される操作により表示面を移動し、ユーザがマウス５を用いてクリックすることにより、ポインタ３３により指示される点３４が選択される。領域抽出部２３は、点３４が領域３２−ｉ（ｉ＝１，２，３，…，ｎ）に含まれているときに、領域３２−ｉを判定領域として抽出する。
【００３７】
その表示面３１は、さらに、リモコン４が備えるボタンに対応する領域（図示されていない）を表示することができる。このとき、データ放送受信装置本体２は、マウス５によりその領域をクリックされると、その領域に対応するリモコン４のボタンが押下されたときと、同様の動作を実行する。
【００３８】
図５は、確認部１４により作成される確認ボックスを示している。その確認ボックス４１は、表示装置３の表示面に表示される。確認ボックス４１には、文字列４２と、はいボタン４３と、いいえボタン４４とが表示されている。文字列４２は、判定部１３により対応づけられるボタンを示している。文字列４２としては、そのボタンが赤ボタンであるときに「赤ボタンを押しますか？」が例示される。このとき、実行部１２は、マウス５によりはいボタン４３がクリックされると、判定部１３により対応づけられたコードに対応する動作を実行し、マウス５によりいいえボタン４４がクリックされると、その動作を実行しない。
【００３９】
本発明によるデータ放送受信方法の実施の形態は、リモコン４の操作に応答する動作と、マウス５の操作に応答する動作とを備えている。リモコン４の操作に応答する動作では、ユーザが、まず、リモコン４のカラーボタン６または数字ボタン７のうちの１つのボタンを押下する。データ放送受信装置本体２は、そのボタンに対応する動作を受信したＢＭＬ文書から抽出して、その動作を実行する。
【００４０】
その動作は、表示装置３の表示面に表示される複数の選択肢から１つの選択肢を選択する動作を含んでいる。リモコン４がさらに図示されていない上下左右ボタンと決定ボタンとを備えているときに、その上下左右ボタンが押下されることにより複数の選択肢のうちの１つの選択肢が他の選択肢と識別可能に表示面に表示され、その決定ボタンが押下されることにより他の選択肢と識別可能に表示面に表示されている選択肢が選択される。
【００４１】
図６は、マウス５の操作に応答する動作を示している。ユーザは、まず、マウス５を用いて表示装置３の表示面の１つの点を選択する。データ放送受信装置本体２は、その点の位置に対応するリモコン４のカラーボタン６または数字ボタン７のうちの１つのボタンを特定する（ステップＳ１）。データ放送受信装置本体２は、１つのボタンを特定することができたときに（ステップＳ２；ＹＥＳ）、確認ボックス４１を表示装置３の表示面に表示する。ユーザは、確認ボックス４１に記載されているボタンを押したいときに、マウス５を用いてはいボタン４３をクリックし、そのボタンを押したくないときに、マウス５を用いていいえボタン４４をクリックする。
【００４２】
データ放送受信装置本体２は、はいボタン４３がクリックされたときに（ステップＳ３；ＹＥＳ）、特定されたボタンに対応する動作を実行する（ステップＳ４）。データ放送受信装置本体２は、マウス５により選択された点からボタンが特定されないときに（ステップＳ２；ＮＯ）、または、いいえボタン４４がクリックされたときに（ステップＳ３；ＮＯ）、ＢＭＬ文書に示される動作を実行しない。すなわち、データ放送受信装置本体２は、ユーザが承認したときにのみ、特定されたボタンに対応する動作を実行する。このとき、ユーザが意図しないボタンに対応する動作を実行する誤動作を防止することができる。
【００４３】
なお、データ放送受信装置本体２は、確認ボックス４１を表示しないで、直ぐに、特定されたボタンに対応する動作を実行することもできる。すなわち、データ放送受信装置本体２は、ユーザがマウス５を用いて表示装置３の表示面の１つの点を選択すると、その点の位置に対応するリモコン４のカラーボタン６または数字ボタン７のうちの１つのボタンを特定する。データ放送受信装置本体２は、ボタンを特定することができたときに、特定されたボタンに対応する動作を実行する。データ放送受信装置本体２は、さらに、マウス５により選択された点からボタンが特定されないときに、ＢＭＬ文書に示される動作を実行しない。
【００４４】
このとき、ユーザは、直感的に入力することができ、データ放送受信装置１を速く操作してＢＭＬ文書に示される動作を速く起動させることができる。たとえば、このようなデータ放送受信装置１によれば、クイズ番組が放送されているときに、ユーザは、リモコン４を用いてクイズに回答するより速く、マウス５を用いてそのクイズに回答することができる。
【００４５】
図７は、図６のフローチャートのステップＳ１の動作、すなわち、マウス５により選択された点に基づいてリモコン４のカラーボタン６のうちの１つのボタンを特定する動作の実施の形態を詳細に示している。データ放送受信装置本体２は、表示装置３の表示面に青、赤、緑、黄の４色のうちの２色以上の色が表示されているかどうかを解析する（ステップＳ１１）。データ放送受信装置本体２は、表示装置２の表示面にその２色以上の色が表示されているときに（ステップＳ１１；ＹＥＳ）、領域抽出部２３は、マウス５により選択された点に基づいて表示装置３の表示面のうちから判定領域３２−ｉを抽出する（ステップＳ１２）。
【００４６】
その判定領域３２−ｉは、表示装置３の表示面に表示される複数の選択肢から１つの選択肢を選択する動作での選択肢が表示されている領域以外でも抽出される。
【００４７】
データ放送受信装置本体２は、さらに、判定領域３２−ｉに表示されている色を認識する（ステップＳ１４）。データ放送受信装置本体２は、その色が青、赤、緑、黄のうちの１色であるときに（ステップＳ１４；ＹＥＳ）、マウス５により選択された点をカラーボタン６のうちその１色に対応するボタンのコードに対応づける（ステップＳ１５）。
【００４８】
放送局は、一般的に、ユーザにカラーボタン６の押下を請うときに、色が表示される領域とその色に対応する情報（文字列、図形）とが並べられている映像を作成する。このようなデータ放送受信方法によれば、ユーザは、その映像に含まれる色が表示される領域をマウス５で指し示して直感的に入力することができる。
【００４９】
図８は、領域抽出部２３により抽出される判定領域の実施の他の形態を示している。その判定領域５２−ｊ（ｊ＝１，２，３，４）は、輪郭５４−ｊにより囲まれている。輪郭５４−ｊは、所定の色、たとえば、白色の線である。その判定領域５２−ｊは、それぞれ、色が表示されている領域５３−ｊを含んでいる。たとえば、領域５３−１は青を表示し、領域５３−２は赤を表示し、領域５３−３は緑を表示し、領域５３−４は黄を表示している。このとき、データ放送受信装置本体２は、マウス５により判定領域５２−ｊの内部の点が選択されたときに、図７のステップＳ１３で領域５３−ｊの色に対応するカラーボタン６が対応づけられる。
【００５０】
図９は、領域抽出部２３により抽出される判定領域の実施の他の形態を示している。その判定領域６２−ｋ（ｋ＝１，２，３，４）は、輪郭６４−ｋにより囲まれている。輪郭６４−ｋは、所定の色、たとえば、白色の線である。その判定領域６２−ｋは、それぞれ、文字６３−ｋが表示されている。文字６３−ｋは、１桁または複数桁の数字である。
【００５１】
図１０は、判定領域６２−１〜６２−４を用いたときの図６のフローチャートのステップＳ１の動作、すなわち、マウス５により選択された点に基づいてリモコン４の数字ボタン７のうちの１つのボタンを特定する動作の実施の他の形態を詳細に示している。データ放送受信装置本体２は、ＢＭＬ文書を解析して、ＢＭＬ文書にリモコン４の数字ボタン７とに対応する動作が記述されているかどうかを解析する（ステップＳ２１）。データ放送受信装置本体２は、ＢＭＬ文書にそのような動作が記述されているときに、領域抽出部２３は、マウス５により選択された点に基づいて表示装置３の表示面のうちから判定領域６２−ｋを抽出する（ステップＳ２２）。
【００５２】
データ放送受信装置本体２は、さらに、判定領域６２−ｋに表示されている文字を認識する（ステップＳ１４）。データ放送受信装置本体２は、その文字が０、１〜９のうちの１文字であるときに（ステップＳ２４；ＹＥＳ）、マウス５により選択された点を数字ボタン７のうちその１文字に対応するボタンのコードに対応づける（ステップＳ２５）。データ放送受信装置本体２は、さらに、その文字が複数桁の数字であるときに、その各桁の数字に対応する数字ボタン７がその数字の上位桁から順番に押される操作を示すコードに対応づける。たとえば、データ放送受信装置本体２は、文字「１５」が記載された領域がクリックされたときに、数字ボタン７の「１」ボタンが押され、次に数字ボタン７の「５」ボタンが押される操作に対応づける。
【００５３】
放送局は、一般的に、ユーザに数字ボタン７の押下を請うときに、数字とその数字に対応する情報（文字列、図形）とが並べられている映像を作成する。このようなデータ放送受信方法によれば、ユーザは、その映像に含まれる数字が表示される領域をマウス５で指し示して直感的に入力することができる。
【００５４】
【発明の効果】
本発明によるデータ放送受信装置及びデータ放送受信方法は、映像とともに放送される文書に示される動作を起動させる操作内容を多様化させることができる。
【図面の簡単な説明】
【図１】図１は、本発明によるデータ放送受信装置の実施の形態を示すブロック図である。
【図２】図２は、データ放送受信装置本体の実施の形態を示すブロック図である。
【図３】図３は、判定部を示すブロック図である。
【図４】図４は、判定領域の実施の形態を示す図である。
【図５】図５は、確認ボックスを示す図である。
【図６】図６は、点が選択されたときの動作の実施の形態を示すフローチャートである。
【図７】図７は、対応するボタンを特定する動作の実施の形態を示すフローチャートである。
【図８】図８は、判定領域の実施の他の形態を示す図である。
【図９】図９は、判定領域の実施のさらに他の形態を示す図である。
【図１０】図１０は、対応するボタンを特定する動作の実施の他の形態を示すフローチャートである。
【符号の説明】
１  ：データ放送受信装置
２  ：データ放送受信装置本体
３  ：表示装置
４  ：リモコン
５  ：マウス
６  ：カラーボタン
７  ：数字ボタン
８  ：電話回線網
１１：チューナー制御部
１２：実行部
１３：判定部
１４：確認部
２１：画像解析部
２２：ＢＭＬ文書解析部
２３：領域抽出部
２４：色認識部
２５：文字認識部
３１：表示面
３２−１〜３２−ｎ：判定領域
３３：ポインタ
３４：点
４１：確認ボックス
４２：文字列
４３：はいボタン
４４：いいえボタン
５１：表示面
５２−１〜５２−４：判定領域
５３−１〜５３−４：領域
５４−１〜５４−４：輪郭
６１：表示面
６２−１〜６２−４：判定領域
６３−１〜６３−４：文字
６４−１〜６４−４：輪郭
【図１】
2004228880.tif 000003
【図２】
2004228880.tif 000004
【図３】
2004228880.tif 000005
【図４】
2004228880.tif 000006
【図５】
2004228880.tif 000007
【図６】
2004228880.tif 000008
【図７】
2004228880.tif 000009
【図８】
2004228880.tif 000010
【図９】
2004228880.tif 000011
【図１０】
2004228880.tif 000012